(57)【要約】【課題】ユーザーが特定の基地局装置を利用したいときに、サーチ時間および消費電力を抑制することができる移動局装置。【解決手段】複数の基地局装置と通信する移動局装置であって、複数の基地局装置のうち、特定の基地局装置に関する情報を記憶する記憶部と、基地局装置に関する情報を用いて、該情報の基地局装置を探索する基地局探索部と、ユーザーによる所定の操作入力を検出すると、基地局探索部に探索の開始を指示する探索制御部とを具備することを特徴とする。【選択図】図１
2011129989.tif 000002
【特許請求の範囲】
【請求項１】
複数の基地局装置と通信する移動局装置であって、
前記複数の基地局装置のうち、特定の基地局装置に関する情報を記憶する記憶部と、
前記基地局装置に関する情報を用いて、該情報の基地局装置を探索する基地局探索部と、
ユーザーによる所定の操作入力を検出すると、前記基地局探索部に前記探索の開始を指示する探索制御部と
を具備することを特徴とする移動局装置。
【請求項２】
前記基地局装置に関する情報は、該基地局装置の送信周波数を示す情報を含むことを特徴とする請求項１の移動局装置。
【請求項３】
前記基地局装置に関する情報は、該基地局装置を識別する情報を含むことを特徴とする請求項１または請求項２に記載の移動局装置。
【請求項４】
前記記憶部は、複数の基地局装置に関する情報を記憶し、
前記探索制御部は、前記記憶部が記憶する複数の基地局装置に関する情報のうち、ユーザーによる操作入力により指定された基地局装置の前記情報を用いて、該情報の基地局装置を探索するように、前記基地局探索部に指示すること
を特徴とする請求項１から請求項３のいずれかの項に記載の移動局装置。
【請求項５】
前記記憶部は、複数の基地局装置の情報とともに、該情報の優先順位を記憶し、
前記基地局探索部は、前記優先順位に従った順に、前記基地局装置の情報を用いて、基地局装置を探索すること
を特徴とする請求項１から請求項３のいずれかの項に記載の移動局装置。
【請求項６】
前記記憶部は、前記優先順位として、前記基地局装置への在圏回数を記憶し、
前記在圏回数が多いほど、優先順位が高いことを特徴とする請求項５に記載の移動局装置。
【請求項７】
ユーザーによる操作入力が表す情報を、前記特定の基地局装置に関する情報として、前記記憶部に記憶させる基地局情報設定部を具備することを特徴とする請求項１から請求項６のいずれかの項に記載の移動局装置。
【請求項８】
複数の基地局装置と通信し、前記複数の基地局装置のうち、特定の基地局装置に関する情報を記憶する記憶部を備える移動局装置のコンピュータを、
前記基地局装置に関する情報を用いて、該情報の基地局装置を探索する基地局探索部、
ユーザーによる所定の操作入力を検出すると、前記基地局探索部に前記探索の開始を指示する探索制御部
として動作させることを特徴とするプログラム。
【発明の詳細な説明】
【技術分野】
【０００１】
本発明は、移動局装置、およびそのプログラムに関する。
【背景技術】
【０００２】
移動体通信技術では、移動局が基地局のサービスエリア外に位置していると、移動局は定期的に基地局をサーチする。このセルサーチを行う周期は移動局の連続動作時間を延ばすためには周期が長いほうがよいが、移動局がサービスエリア内に入ったとき直ぐにサービスを受けるためには短いほうがよい。この相反する条件を満足するための方法として、移動局がサービスエリアに入ったとき移動局ユーザーがセルサーチを指示するサーチスイッチを押すなど、手動（マニュアル）によりセルサーチを即開始する方法が、特許文献１に提案されている。
また、近年、通常のセルであるマクロセルよりセル範囲の小さい小型基地局で構成されるフェムトセルが注目されている。フェムトセルとは、マクロセルよりセル範囲の小さい小型基地局で構成されるシステムで、ビルの中や地下などの電波の届かないところに配置し、サービスエリアを拡大できることや、その他に、住宅やオフィスに基地局を配置し、フェムトセルを利用したときの通信料金を割安にできる等の利点があり、このため移動局ユーザーは通信料金が割安であるフェムトセルでサービスを受けることを希望するという技術上のニーズがある。
【先行技術文献】
【特許文献】
【０００３】
【特許文献１】特開２００１−１４５１６２号公報
【発明の概要】
【発明が解決しようとする課題】
【０００４】
しかしながら、従来のマニュアルによりセルサーチにおいては、フェムトセルなどユーザーが特定の基地局装置を利用したいときでも、セルサーチにより、該基地局装置と通信するためのパラメータを順次取得する必要があるため、多くのサーチ時間が必要になり、また、多くの電力を消費してしまうという問題がある。
【０００５】
本発明は、このような事情に鑑みてなされたもので、その目的は、ユーザーが特定の基地局装置を利用したいときに、サーチ時間および消費電力を抑制することができる移動局装置およびそのプログラムを提供することにある。
【課題を解決するための手段】
【０００６】
（１）この発明は上述した課題を解決するためになされたもので、本発明の移動局装置は、複数の基地局装置と通信する移動局装置であって、前記複数の基地局装置のうち、特定の基地局装置に関する情報を記憶する記憶部と、前記基地局装置に関する情報を用いて、該情報の基地局装置を探索する基地局探索部と、ユーザーによる所定の操作入力を検出すると、前記基地局探索部に前記探索の開始を指示する探索制御部とを具備することを特徴とする。
【０００７】
（２）また、この発明の移動局装置は、上述の移動局装置であって、前記基地局装置に関する情報は、該基地局装置の送信周波数を示す情報を含むことを特徴とする。
【０００８】
（３）また、この発明の移動局装置は、上述のいずれかの移動局装置であって、前記基地局装置に関する情報は、該基地局装置を識別する情報を含むことを特徴とする。
【０００９】
（４）また、この発明の移動局装置は、上述のいずれかの移動局装置であって、前記記憶部は、複数の基地局装置に関する情報を記憶し、前記探索制御部は、前記記憶部が記憶する複数の基地局装置に関する情報のうち、ユーザーによる操作入力により指定された基地局装置の前記情報を用いて、該情報の基地局装置を探索するように、前記基地局探索部に指示することを特徴とする。
【００１０】
（５）また、この発明の移動局装置は、上述のいずれかの移動局装置であって、前記記憶部は、複数の基地局装置の情報とともに、該情報の優先順位を記憶し、前記基地局探索部は、前記優先順位に従った順に、前記基地局装置の情報を用いて、基地局装置を探索することを特徴とする。
【００１１】
（６）また、この発明の移動局装置は、上述の移動局装置であって、前記記憶部は、前記優先順位として、前記基地局装置への在圏回数を記憶し、前記在圏回数が多いほど、優先順位が高いことを特徴とする。
【００１２】
（７）また、この発明の移動局装置は、上述のいずれかの移動局装置であって、ユーザーによる操作入力が表す情報を、前記特定の基地局装置に関する情報として、前記記憶部に記憶させる基地局情報設定部を具備することを特徴とする。
【００１３】
（８）また、この発明のプログラムは、複数の基地局装置と通信し、前記複数の基地局装置のうち、特定の基地局装置に関する情報を記憶する記憶部を備える移動局装置のコンピュータを、前記基地局装置に関する情報を用いて、該情報の基地局装置を探索する基地局探索部、ユーザーによる所定の操作入力を検出すると、前記基地局探索部に前記探索の開始を指示する探索制御部として動作させることを特徴とする。
【発明の効果】
【００１４】
この発明によれば、ユーザーによる所定の操作入力を検出すると、探索制御部は基地局探索部に探索の開始を指示するので、ユーザーが特定の基地局装置を利用したいときに、サーチ時間および消費電力を抑制することができる。
【図面の簡単な説明】
【００１５】
【図１】この発明の第１の実施形態による移動局装置１０の構成を示す概略ブロック図である。
【図２】同実施形態における基地局装置２０の構成を示す概略ブロック図である。
【図３】同実施形態における移動体通信システムを構成する移動局装置および基地局装置の配置を示す図である。
【図４】同実施形態におけるフェムトセル情報記憶部１５２の記憶内容例を示す図である。
【図５】同実施形態における移動局装置１０ａの手動操作によるセルサーチを説明するフローチャートである。
【図６】この発明の第２の実施形態による移動局装置３０の構成を示す概略ブロック図である。
【図７】同実施形態におけるフェムトセル情報記憶部３５２の記憶内容例を示す図である。
【図８】同実施形態における移動局装置３０の手動操作によるセルサーチを説明するフローチャートである。
【発明を実施するための形態】
【００１６】
［第１の実施形態］
以下、図面を参照して、本発明の第１の実施形態について説明する。本実施形態では、フェムトセルに在圏するために手動でセルサーチ（基地局探索）を行うが、通信料金が割安であるフェムトセルは、移動局ユーザーが認識して住宅やオフィスに設置される場合が多く、サーチするセルが既知のものに限られているため、セルサーチにおける探索範囲を限定でき、サーチ時間と消費電力を削減することができる。
【００１７】
図１は、この発明の第１の実施形態による移動局装置１０の構成を示す概略ブロック図である。移動局装置１０は、無線信号の送受信を行うアンテナ１１、ベースバンド信号を無線信号にアップコンバートまたは無線信号をベースバンド信号にダウンコンバートし、アンテナ１１を介して送受信を行う無線部１２、ユーザデータと制御データを符号化してベースバンド信号を生成する、または、ベースバンド信号を復号化してユーザデータと制御データとを得るベースバンド部１３、ユーザーの入出力を受け持つユーザＩ／Ｆ部１４、それらを制御する制御部１５を具備する。
【００１８】
ユーザＩ／Ｆ部１４は、画像を表示する表示部１４１、音声の入出力を行うハンドセット部１４２、ボタン等によるユーザーによる操作入力を行うキー入力部１４３を具備する。ベースバンド部１３は、後述するセルサーチを行うセルサーチ部１３１（基地局探索部）を具備する。制御部１５は、ユーザＩ／Ｆ部１４を介して、ユーザーによる所定の操作入力を検出すると、セルサーチ部１３１にセルサーチの開始を指示するとともに、無線部１２を制御するセルサーチ制御部１５１（探索制御部）、特定のフェムトセルに関する情報を記憶するフェムトセル情報記憶部１５２（記憶部）、ユーザＩ／Ｆ部１４を介して、ユーザーによる操作入力が表す特定のフェムトセルに関する情報を受け付けて、フェムトセル情報記憶部１５２に記憶させるフェムトセル情報設定部１５３を具備する。
【００１９】
図２は、本実施形態における基地局装置２０の構成を示す概略ブロック図である。基地局装置２０は、無線信号の送受信を行うアンテナ２１、ベースバンド信号を無線信号にアップコンバートまたは無線信号をベースバンド信号にダウンコンバートし、アンテナ２１を介して送受信を行う無線部２２、ユーザデータと制御データを符号化してベースバンド信号を生成する、または、ベースバンド信号を復号化してユーザデータと制御データとを得るベースバンド部２３、ネットワークに接続され、該ネットワークを介した他の基地局装置や固定網との通信のためのネットワークＩ／Ｆ部２４、それらを制御する制御部２５を具備する。
【００２０】
図３は、本実施形態における移動体通信システムを構成する移動局装置および基地局装置の配置を示す図である。図３に示すように、本実施形態における移動体通信システムは、移動局装置１０ａ、基地局装置２０ａ、２０ｂ、２０ｃを有する。移動局装置１０ａは、図１に示す移動局装置１０の構成を備える。マクロセルの基地局装置２０ａ、２０ｃ、フェムトセルの基地局装置２０ｂは、図２に示す基地局装置２０の構成を備える。基地局装置２０ａは、移動局装置１０ａと通信可能な範囲をセルＡとするマクロセルの基地局装置である。基地局装置２０ｂは、セルＡに包含されるセルＢを移動局装置１０ａと通信可能な範囲とするフェムトセルの基地局装置である。基地局装置２０ｃは、セルＡに隣接するセルＣを移動局装置１０ａと通信可能な範囲をとするマクロセルの基地局装置である。なお、基地局装置２０ａ〜２０ｃと移動局装置１０ａとの間はＣＤＭＡ（Ｃｏｄｅ  Ｄｉｖｉｓｉｏｎ  Ｍｕｌｔｉｐｌｅ  Ａｃｃｅｓｓ；符号分割多元接続）方式で無線接続しており、使用できる周波数は複数存在する。基地局装置２０ｂは、基地局装置２０ａ、２０ｃとは、異なる周波数を用いて通信している。
【００２１】
マクロセルの基地局装置２０ａ、２０ｃは、広範囲なカバーエリアを構成するが、フェムトセルの基地局装置２０ｂは限定範囲のスポット的なカバーエリアとなっている。基地局装置２０ｂは住宅に配置された基地局であり、移動局装置１０ａのユーザーはこのフェムトセルを利用したとき通信料金を割安にできる利点がある。図３では、移動局装置１０ａは基地局装置２０ａに在圏しているが、基地局装置２０ｂにも在圏可能な位置にあり、移動局装置１０ａがマニュアル（ユーザーによる操作）によりセルサーチを行い、基地局装置２０ｂへの在圏を試みるシーケンスを説明する。
【００２２】
ＣＤＭＡ方式を用いる通信規格であるＷ−ＣＤＭＡ（Wideband CDMA；広帯域符号分割多元接続）におけるセルサーチでは、候補となる周波数の各々について、以下の処理を行う。まず、Ｐｒｉｍａｒｙ−ＳＣＨ（Ｐｒｉｍａｒｙ  Ｓｙｎｃｈｒｏｎｉｚａｔｉｏｎ  Ｃｈａｎｎｅｌ；プライマリ同期チャネル）を検出することによりスロットタイミング同期をとる。次に、Ｓｅｃｏｎｄａｒｙ−ＳＣＨ（Ｓｅｃｏｎｄａｒｙ  Ｓｙｎｃｈｒｏｎｉｚａｔｉｏｎ  Ｃｈａｎｎｅｌ；セカンダリ同期チャネル）を検出して、スクランブリングコードのタイミング同期とスクランブリングコードの候補を絞り込む。次に、候補のスクランブリングコードでＣＰＩＣＨ（Ｃｏｍｍｏｍ  Ｐｉｌｏｔ  Ｃｈａｎｎｅｌ）を逆拡散し相関値の最も大きいスクランブリングコードを決定する。さらにそのスクランブリングコードでＢＣＨ（Ｂｒｏａｄｃａｓｔ  Ｃｈａｎｎｅｌ）を逆拡散してから復調し、各セルに固有のセルＩＤを得る。
【００２３】
図４は、フェムトセル情報記憶部１５２の記憶内容例を示す図である。図４に示すように、フェムトセル情報記憶部１５２は、１行目のレコードに基地局装置名「自宅」、セルＩＤ「３１０５」、送信周波数「２１３７．６ＭＨｚ」、スクランブリングコード番号「１６００」を記憶するというように、基地局装置名と、セルＩＤと、送信周波数と、スクランブリングコードとを対応付けて、特定のフェムトセルに関する情報として記憶する。
【００２４】
一般に移動局ユーザーが割安な通信料金で利用できるフェムトセルは、そのユーザーの自宅に設置されたフェムトセルの様な特定のフェムトセルである。本実施形態では、その特定のフェムトセルに関する情報（周波数、スクランブリングコード、セルＩＤ等）を移動局装置１０ａのフェムトセル情報記憶部１５２に記憶させ、その情報をもとにフェムトセルのサーチを行うことによりセルの探索範囲を限定する。このフェムトセルに関する情報は、キー入力部１４３を用いたユーザーによる操作入力によりフェムトセル情報設定部１５３に入力され、フェムトセル情報設定部１５３が、フェムトセル情報記憶部１５２に記憶させる。
【００２５】
図５は、移動局装置１０ａの手動操作によるセルサーチを説明するフローチャートである。ここでは、移動局装置１０ａは、基地局装置２０ｂの通信範囲に位置し、移動局装置１０ａのフェムトセル情報記憶部１５２は、特定のフェムトセルに関する情報として、基地局装置２０ｂの情報を記憶しているものとする。この状態で、ユーザＩ／Ｆ部１４のキー入力部１４３をユーザーが操作し、手動のセルサーチ開始を指示するボタンが押されると、セルサーチ制御部１５１は、これを検出してサーチ指示有りと判定し（Ｓ１−ＹＥＳ）、ステップＳ２に遷移する。ステップＳ２では、セルサーチ制御部１５１は、フェムトセル情報記憶部１５２がフェムトセルに関する情報を記憶しているか否か、すなわちフェムトセルの情報があるか否かを判定する。ここでは、基地局装置２０ｂに関する情報を記憶しているので、ステップＳ２では、フェムトセルの情報があると判定し（Ｓ２−ＹＥＳ）、ステップＳ３に遷移して、セルサーチ制御部１５１は、そのフェムトセルの情報を用いてフェムトセルをサーチする。具体的にはフェムトセル情報記憶部１５２が記憶する周波数の情報より、セルサーチ制御部１５１は、その周波数を、無線部１２に設定して、該周波数で送信しているセルのセルサーチを、セルサーチ部１３１に指示する。
【００２６】
セルサーチ部１３１は、セルサーチの結果、セルを検出したか否かをセルサーチ制御部１５１に報告する。ステップＳ４では、セルサーチ制御部１５１は、セルサーチ部１３１の報告に基づき、フェムトセルを検出したか否かを判定する。ここでは、セルサーチ部１３１は、フェムトセルの基地局装置２０ｂを検出しているので、セルサーチ制御部１５１に、基地局装置２０ｂの検出を報告する。セルサーチ制御部１５１は、この報告を受けて、フェムトセルを検出したと判定し（Ｓ４−ＹＥＳ）、ステップＳ５に遷移して、セルサーチ制御部１５１は、検出したフェムトセル（基地局装置２０ｂ）の基地局装置名をフェムトセル情報記憶部１５２から読み出し、表示部１４１に表示することで、検出したフェムトセルをユーザーに報告する。この後、ユーザーの操作入力による承認を得て、移動局装置１０ａは、そのフェムトセルに在圏する処理を行う。
【００２７】
なお、ステップＳ２にてフェムトセルの情報がないと判定したとき（Ｓ２−ＮＯ）、および、ステップＳ４にてフェムトセルを検出しなかったと判定したときは（Ｓ４−ＮＯ）、ステップＳ６に遷移する。ステップＳ６では、セルサーチ制御部１５１は、フェムトセルの検出に失敗した旨を表示部１４１に表示させて、ユーザーにサーチ失敗の報告をする。
この様に、ユーザーが特定の基地局装置を利用したいときに、セルサーチを行う周波数を、フェムトセル情報記憶部１５２が記憶する周波数のみに限定することにより、セルサーチに要する時間と消費電力を削減することができる。
【００２８】
本実施形態における手動によるセルサーチにおける探索範囲の限定は、周波数のみで行っているが、この方法に限定するものではなく、その他のセル固有のパラメータを用いてもよい。以下では、その他のセル固有のパラメータとして、基地局装置を識別する情報であるスクランブリングコードを周波数に加えて用いる本実施形態の変形例を説明する。スクランブリングコードを用いることにより、Ｓｅｃｏｎｄａｒｙ−ＳＣＨを受信してスクランブリングコードの候補を絞り込む手順と、スクランブリングコード同定の手順とを簡略化できるので、セルサーチに要する時間と消費電力とを更に削減できる。
【００２９】
具体的には、上述のＷ−ＣＤＭＡ方式では、Ｓｅｃｏｎｄａｒｙ−ＳＣＨのＳＳＣ（Ｓｅｃｏｎｄａｒｙ  Ｓｙｎｃｈｒｏｎｉｚａｔｉｏｎ  Ｃｏｄｅ）には１６種類の拡散コードがあり、これを１５個組み合わせた６４種類のパターンに夫々８個のスクランブリングコードを関連付け、また夫々のパターンのはじめのスロットタイミングが、スクランブリングコードの開始タイミングとなっている。
【００３０】
通常のセルサーチでは、移動局装置は６４種類のパターンについて同定するため、Ｓｅｃｏｎｄａｒｙ−ＳＣＨの受信信号を、夫々のパターンの拡散コードで逆拡散し相関値の最も大きいパターンを検出することで、使用されているパターンを同定する。同定したパターンによりスクランブリングコードのタイミング同期をとり、またスクランブリングコードの候補を同定したパターンに関連付けられた８候補に絞り込む。さらに、８候補のスクランブリングコードでＣＰＩＣＨ（Ｃｏｍｍｏｍ  Ｐｉｌｏｔ  Ｃｈａｎｎｅｌ）を逆拡散し相関値の最も大きいスクランブリングコードを検出することで、使用されているスクランブリングコードを同定する。
【００３１】
これに対し、本実施形態の変形例では、探すセルのスクランブリングコードが既知のため、スクランブリングコードの候補を絞り込む必要がない。そのため、Ｓｅｃｏｎｄａｒｙ−ＳＣＨの受信信号からはスクランブリングコードの開始タイミングがわかれば良い。そのタイミングの決定の過程である６４種類のパターンの同定では、６４種類のパターンの候補は既知のスクランブリングコードに対応する１種類だけになり、６４種類のパターン全てで逆拡散する必要がないため手順を簡略化することができる。またスクランブリングコードの候補も1種類しかなく、ＣＰＩＣＨの逆拡散が1回で済むため手順を簡略化することができる。
【００３２】
［第２の実施形態］
以下、図面を参照して、本発明の第２の実施形態について説明する。本実施形態における移動体通信システムは、第１の実施形態における移動局装置１０ａに替えて、移動局装置３０を備える。移動局装置１０ａは、フェムトセルに関する情報を１局分のみ記憶しているが、本実施形態における移動局装置３０は、フェムトセルに関する情報を１局だけに限らず、複数局分記憶することができる。
【００３３】
図６は、本実施形態における移動局装置３０の構成を示す概略ブロック図である。同図において、図１の各部に対応する部分には同一の符号（１１〜１４、１３１、１４１〜１４３、１５３）を付け、その説明を省略する。移動局装置３０は、アンテナ１１、ベースバンド部１３、ユーザＩ／Ｆ部１４、それらを制御する制御部３５を具備する。制御部３５は、在圏登録部３５０、セルサーチ制御部３５１、フェムトセル情報記憶部３５２、フェムトセル情報設定部１５３を具備する。
【００３４】
セルサーチ制御部３５１は、キー入力部１４３を介した、ユーザーによる操作入力によりフェムトセルのサーチ開始の指示を受けると、フェムトセル情報記憶部３５２が記憶するフェムトセルに関する情報に対応付けられた在圏回数が示す優先順位の順に、フェムトセルに関する情報を用いてセルサーチを行うように、無線部１２およびセルサーチ部１３１を制御する。フェムトセル情報記憶部３５２は、複数のフェムトセルに関する情報と、各々のフェムトセルへの在圏回数とを対応付けて記憶する。在圏登録部３５０は、フェムトセルに在圏する度に、在圏したフェムトセルに関する情報と対応付けてフェムトセル情報記憶部３５２が記憶する在圏回数をカウントアップする。
【００３５】
図７は、本実施形態におけるフェムトセル情報記憶部３５２の記憶内容例を示す図である。図７に示すように、フェムトセル情報記憶部３５２は、１行目のレコードに基地局装置名「自宅」、セルＩＤ「３１０５」、送信周波数「２１３７．６ＭＨｚ」、スクランブリングコード番号「１６００」、在圏回数「１２９」を記憶し、２行目のレコードに基地局装置名「オフィス」、セルＩＤ「２７６３」、送信周波数「２１４２．４ＭＨｚ」、スクランブリングコード番号「２４００」、在圏回数「２７０」を記憶するというように、フェムトセルに関する情報と、在圏回数とを対応付けて記憶する。
【００３６】
図８は、移動局装置３０の手動操作によるセルサーチを説明するフローチャートである。図８のフローチャートは、図５のフローチャートと、ステップＳ３に替えて、ステップＳ３３を有する点が異なる。ステップＳ３３では、セルサーチ制御部３５１は、フェムトセル情報記憶部３５２が記憶するフェムトセルに関する情報を、該情報に対応付けて記憶されている在圏回数が大きい順に（優先順位が高い順に）読み出し、順次、読み出したフェムトセルに関する情報を用いて、フェムトセルをサーチする。サーチの結果、在圏可能なセルを検出した場合、あるいは、全てのフェムトセルに関する情報を用いたサーチを終了した場合に、ステップＳ４に遷移する。
【００３７】
なお、本実施形態において、優先順位は在圏の回数の多いセルの優先順位が高いとして説明したが、ユーザーが決めた優先順位が、キー入力部１４３を用いたユーザーによる操作入力によりフェムトセル情報設定部１５３に入力され、フェムトセル情報設定部１５３が、フェムトセル情報記憶部３５２に記憶させるようにしても良い。
また、本実施形態において、セルサーチ制御部３５１は、手動のセルサーチを行うときに、記憶している情報のフェムトセルの中から、優先順位の順にサーチを行うとして説明したが、ユーザーによる操作入力によりサーチ対象のフェムトセルを指定させ、指定されたフェムトセルに関する情報を用いてセルサーチを行うようにしてもよい。
【００３８】
この様に、ユーザーが特定の基地局装置を利用したいときに、セルサーチに、フェムトセル情報記憶部３５２が記憶するフェムトセルに関する情報を用いることにより、第１の実施形態と同様に、セルサーチに要する時間と消費電力を削減することができる。
さらに、フェムトセルに関する情報を複数記憶しているときは、在圏回数を優先順位とする、あるいは、使う頻度の多い基地局装置の優先順位が高くなるようにユーザーが優先順位を設定しておけば、優先順位の順にサーチをすることで、セルサーチに要する時間と消費電力を削減することができる。
【００３９】
また、図１におけるセルサーチ制御部１５１、フェムトセル情報設定部１５３、および図６における在圏登録部３５０、セルサーチ制御部３５１の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４１】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００４２】
１０、１０ａ、３０…移動局装置
１１…アンテナ
１２…無線部
１３…ベースバンド部
１３１…セルサーチ部
１４…ユーザＩ／Ｆ部
１４１…表示部
１４２…ハンドセット部
１４３…キー入力部
１５、３５…制御部
１５１、３５１…セルサーチ制御部
１５２、３５２…フェムトセル情報記憶部
１５３…フェムトセル情報設定部
２０、２０ａ、２０ｂ、２０ｃ…基地局装置
２１…アンテナ
２２…無線部
２３…ベースバンド部
２４…ネットワークＩ／Ｆ部
２５…制御部
３５…制御部
３５０…在圏登録部
【図１】
2011129989.tif 000003
【図２】
2011129989.tif 000004
【図３】
2011129989.tif 000005
【図４】
2011129989.tif 000006
【図５】
2011129989.tif 000007
【図６】
2011129989.tif 000008
【図７】
2011129989.tif 000009
【図８】
2011129989.tif 000010